(57)【要約】【課題】  例えば東京で使用されたポスターや展示物等を大阪やその他の地域で使用し、剥がしてそのまま同じポスター等を繰り返して使用し、簡単に取り付けることの出来る層状接着テープを提供する。【手段】片面を微小な凹凸面に加工して吸着面とした吸着テープ２、この面を覆った剥離シート３と、吸着面としない側に接着剤４層を塗布し、この接着剤層を覆うように重ねた剥離シート５と、より成り、吸着面としない側の剥離シート５を剥離してポスターや展示物等の表示面７を滑らかな壁面に接着する層状接着テープである。【選択図】    図２
2013159642.tif 000002
【特許請求の範囲】
【請求項１】
片面を微小な凹凸面に加工して吸着面とした吸着テープと、該吸着面を覆った剥離シートと、吸着面としない側に塗布した接着剤層と、、該接着剤層を覆うように重ねた剥離シートと、より成り、吸着面としない側の剥離シートを剥離してポスターや展示物を表示した表示紙の裏面に接着剤層を接着してなることを特徴とする層状接着テープ。
【請求項２】
片面を微小な凹凸面に加工した吸着テープと、該微小な凹凸面を覆う剥離シートと、前記微小な凹凸加工しない面に塗布した接着剤層と、該接着剤層の上に接着された両面接着テープと、該両面接着テープの外側に塗布した接着剤層と、該接着剤層を覆った剥離シートと、よりなり、剥離シートを剥がし、該接着剤層にポスターや展示物を表示した表示紙の裏面に貼付することを特徴とする層状接着テープ。
【発明の詳細な説明】
【技術分野】
【０００１】
本発明は、ポスターや広告文等を展示用の壁紙やガラス等の壁材に貼り付けることの出来る層状接着テープ、特にそのポスターや広告文等を剥がして再度別な展示場所や壁材に貼り付けて使用することの出来る層状接着テープおよびその層状接着テープをカットするテープカッターケースに関する。
【背景技術】
【０００２】
通常、商談会や講演等では、ポスターや開催物の展示をする広告文（開催日時、場所、商品やサービスの内容を表示し、黒板や白板あるいは表示ボードに接着して分かり易く示して商談や講演を進める。
【０００３】
上記するように、見本市やいろいろな製品の展示会、商談会、講演等では、製品やサービスの講演内容を、写真やテーマで表示紙に表示し、商談やサービスの内容、テーマ等をＰＲする。従来、このような展示物（表示紙）はポスターや広告文の裏に接着剤を付け、展示用に作成したボードに貼り付け商談等を進めるように表示していた。或いは、簡単に図７に示すように、ポスターを壁９に粘着テープで張り付けるのみの場合もあった。
【０００４】
従来の展示物の粘着シートとしては、硝子や金属や化粧版のような一見凹凸の無い壁にポスターのような薄い物を貼るときに用いるシールにおいて、壁とシールとの間を粘着剤無しで貼ることがある。この場合、シールの材質自体が、吸着・拡散・電気（電子）・粘弾性接着等の性質により接着する。具体的には接着仕事の大きい個体ポリマーを、主材料とする。そして、璧面と接着する面を表面とすると、裏面には粘着剤が付いている。しかし裏面には凹凸が設けられているが、この面には粘着剤が付着されている（特許文献１）。
また、ガラスやフロアリングなどの表面に吸着して通常の状態では剥がれず、必要なときには容易に剥ぎ取ることができ、剥ぎ取ったあとには形跡が残らない吸着シートとして、プリント生地の表面に、アクリルーウレタン系樹脂エマルジョンに整泡剤、増粘剤、架橋剤、着色剤などを添加し、高速撹拌して２〜３倍に発泡させて発泡エマルジョンを得、この発泡エマルジョン２を、コーテイング機を走行するプリント生地１に供給し、ドクターナイフにより厚さを調整しながらコーテイングし、加熱乾燥炉に入る直前でコーテイング層にスクレイパーをあてて表面を削ぎ気泡を開口８させると共に表面平滑にし、加熱乾燥炉を通過する間に架橋反応を起こさせ気泡の形状を固定して吸着シートを得る方法がある（特許文献２、図１）。そしてこれ等の応用例として、この特許文献２の図３〜図８が例示されている。
【先行技術文献】
【特許文献】
【０００５】
【特許文献１】特開平７−０５８１６
【特許文献２】特願２００２−６１０７６
【発明の概要】
【発明が解決しようとする課題】
【０００６】
ポスター等を貼り付けるときには、場所を変えて何度も使用したいことが多い。しかし、通常ポスターは何度も使用するが、その場合使用する度に作り直すか、一部を修正して使用する。従ってその度に作成したり、直したりすと、手間がかかり煩雑で面倒である。また、両面接着テープに剥離シートを層状とした層状の接着テープはカットして使用するが、層状のテープはカットしにくく簡単ではない。このような層状のテープは便利なように特殊なテープカッターケースを使用する必要がある。すなわち、テープが層状となっている場合でも簡単にカット可能なテープカッターケースとする必要がある。
【０００７】
しかし上記するように、商談会や講演を繰り返す度に新しいポスター等を準備しなければならないのは、手間や時間がかかり費用もそれだけ余分に係ることになる。場合によっては商談の機会を逸することにもなりかねない。
【０００８】
本発明は、上記する課題に対処するためになされたものであり、例えば東京で使用されたポスターや展示物等を大阪やその他の地域でも剥がしてそのまま同じポスター等を剥がして繰り返して使用し、簡単に取り付けることの出来る層状接着テープ層およびそのテープカッターケースを提供することを目的としている。
【課題を解決するための手段】
【０００９】
上記課題を解決する為に、請求項１に記載の発明は、層状接着テープが、片面を微小な凹凸面に加工して吸着面２aとした吸着テープ２と、該吸着面２aを覆った剥離シート3と、吸着面としない側に塗布した接着剤4層と、、該接着剤4層を覆うように重ねた剥離シート5と、より成り、吸着面としない側の剥離シート5を剥離してポスターや展示物を表示した表示紙7の裏面に接着剤4層を接着してなることを特徴とするものである。
【００１０】
また、請求項２に記載の発明は、層状接着テープが、片面を微小な凹凸面に加工した吸着テープ２と、該微小な凹凸面を覆う剥離シート３と、前記微小な凹凸加工しない面に塗布した接着剤４ａ層 と、該接着剤４ａ層の上に接着された両面接着テープ６と、該両面接着テープ６の外側に塗布した接着剤４ｂ層と、該接着剤４ｂ層を覆った剥離シート５と、よりなり、剥離シートを剥がし、前記接着剤４ｂ層にポスターや展示物を表示した表示紙７の裏面に貼付することを特徴とするものである。
【発明の効果】
【００１１】
上記手段によれば、ポスターを層状接着テープの吸着テープを展示ボードや壁から簡単に外し、そのまま巻いて再度使用することができる。従って何度も接着剤を使用する必要もなく、例えば東京で使用したポスターをそのまま大阪や福岡等でも使用することができる。そのため繰り返して製作することもない。また、ポスターや展示物をその度に製作する必要もない。また何度使用しても汚すこともなく、長持ちし、コストも低減することができる。
【００１２】
また、この発明の層状接着テープを、丸めて層状接着テープ用テープカッターケースに取り付けて使用することにより、必要量の層状の接着テープを簡単にカットして用いることができる。
【図面の簡単な説明】
【００１３】
【図１】図１は本発明の層状接着テープの第１の構成をしめす図であり、図１（A）は断面図であり、図１（ｂ）は、図１（A）のＰ部拡大図である。
【図２】図２は、本発明で剥離シートを剥がしてポスターや展示物を表示した表示紙を接着した状態の断面図である。
【図３】図３は本発明の第2の実施の形態の層状接着テープの構成をしめす図でああって、図３（Ａ）は、本発明の層状接着テープの構成を示す層状接着テープの断面図であり、図３（Ｂ）は、図３（Ａ）のＰ部拡大図である
【図４】図４は、本発明の第２の実施の形態で剥離シートを剥がしてポスターや展示物を表示した表示紙を接着した状態の断面図である。
【図５】図５（A）は、この層状接着テープを取り付けるためのテープカッターケース２０の斜視図であり、図５（B）は、第2の実施形態の層状接着テープの一部を示す斜視図である。
【図６】図６は、本発明の層状接着テープをポスターの裏側貼り付け面に貼り付けた場合の正面図である。
【図７】図７は、従来のポスター等を壁材等に接着する場合のポスターの正面図である。
【発明を実施するための形態】
【００１４】
以下、本発明の具体的実施の形態について、図面を参照して説明する。図１は本発明の第１の実施の形態の層状接着テープの構成をしめす図であって、図１（A）は、本発明の層状接着テープの構成を示す層状接着テープの断面図であり、図１（Ｂ）は、図１（Ａ）のP部拡大図である。
【００１５】
この発明の層状接着テープ１は、片面を微小な凹凸面に加工して吸着面２ａとした吸着テープ２と、該吸着テープ２の表面を覆った剥離シート３と、吸着面としない側に接着剤４層と、該接着剤層４を覆うように重ねた剥離シート５と、より構成される。そして、吸着面としない側の剥離シート５を剥離してポスターや展示物を表示した表示紙７の裏面の接着剤層４に接着する。従って、ポスターや展示物を表示した表示紙７はそのまま使用されるが、吸着テープ２は剥がして別の場所でも使用することが可能である。
図２は、本発明で剥離シート5を剥がしてポスターや展示物を表示した表示紙7を接着した状態の断面図である。この実施例では、剥離シート5を剥がして上の接着剤4を利用してポスターや展示物を表示した表示紙7を滑らかな壁等に張り付けて使用する。
【００１６】
次に、図３は本発明の第2の実施の形態の層状接着テープの第２の構成をしめす図でああって、図３（Ａ）は、本発明の層状接着テープの構成を示す層状接着テープの断面図であり、図３（Ｂ）は、図３（Ａ）のＰ部拡大図である。
【００１７】
この第2の実施の形態では、片面を微小な凹凸面に加工して吸着面２aとした吸着テープ２と、該微小な凹凸面とした吸着面２ａを覆った剥離シート３と、前記微小な凹凸加工しない面に塗布した接着剤４ａと、該接着剤４aに接着した両面接着テープ６と、該両面接着の片側面に塗布した接着剤4ｂと、該接着剤4ｂを覆うようにした剥離シート5と、より構成されている。そして剥離シート5を剥がし、該接着剤4ｂ層にポスターや展示物を表示した表示紙7の裏面に貼付するように構成したものである。
【００１８】
この発明の第２の実施の形態では、図４に示すように、ポスターや展示表示物の表示紙を層状接着テープ１の剥離シート５を剥がしてポスターや展示表示物の表示紙７に接着するように円形に巻いてある（図５（A）参照）。そして後述するようにテープカッターケース２０に取り付けるようにしてある。すなわちこの層状接着テープ１は、通常長い帯状に形成されて両面接着テープの接着剤をポスターや展示物を表示した表示紙７に接着するように円形に巻いてある。
【００１９】
この発明の第２の実施の形態では、同じく図４に示すように、表示紙の裏側に、ポスターや展示表示物の表示しを剥離紙５を剥がして両面接着剤テープの面接着に貼り付け、接着テープとしての吸着テープ２を壁材９やガラス板９等に吸着させるように円形に巻く。すなわち、この層状接着テープ１０は、通常長い帯状に形成されて両面接着テープの接着剤をポスターや展示物を表示した表示紙に接着するように円形に巻いてある。
【００２０】
以上の構成からなる第2の実施形態の層状接着テープ１０は、この両面接着テープ６と吸着テープ２の一方とは常に接着されているので分離するとはない。そして、層状接着テープ１も層状接着テープ１０もポスターや展示物を表示した表示紙７に接着する時には剥離シート５を必要な分だけ剥がしてカットするだけでよい。この層状接着テープは、ポスター等を貼り付ける展示ボードや壁材９の形状によって剥離シート５ごと切ればよい。
【００２１】
前記両面接着テープ６と片面を吸着面とした吸着テープ２とを接着し、該両面接着テープ６と吸着テープ２の外側面の一方の剥離シートを剥がし、該両面接着テープ６をポスターや展示物を表示した表示紙７の裏面に貼付し、吸着テープの他方は展示ボードや壁材９に吸着固定すると、簡単に展示ボードや壁材９にから剥がすことができるので何度でも使用することができる。従って東京で使用したポスター等を大阪やその他でも使用することができる。
【００２２】
図５（A）は、この層状接着テープを取り付けるためのテープカッターケース２０の斜視図であり、図５（B）は、第2の実施形態の層状接着テープ１０の一部を示す斜視図である。このテープカッターケース２０は、ケースの底部に設けた底台部２０ａと、該底台部２０ａ両側に縦方向に設けた二つのフレーム２０ｂ、２０ｃと、これら二つのフレーム２０ｂ、２０ｃとの間に形成される溝２０ｄに設けた軸２０ｅとで構成される。前記テープカッターケース２０の底台部２０ａの先端には、カッター２０ｆが設けてある。このテープカッター２０ｆとしてはのこぎり状のものとするか、補助具でハサミ状となるようにしてカットする。テープカッターケース２０のフレーム２０ｂとフレーム２０ｃとの間は溝２０ｄとなっており、該フレーム２０ｂとフレーム２０ｃとの間の溝２０ｄに軸２０ｅが形成されている。そして層状接着テープ１０は、上記するように円状に形成され中心部の穴に軸２０ｅを嵌め入れてある。従って、本発明の層状接着テープ１０は、テープカッターケース２０で回しながら適宜切断することができる。
【００２３】
上記する発明を実施するための形態は、層状接着テープの構成が円形に形成した場合を示したが、円形としないで例えば矩形状に形成した場合は、巻回の仕方によっては一方の剥離シートは不要となる。また、この層状接着テープは円形に層状とすることもできるし、矩形状とすることもできる。また、他の種々の形状に形成することができる。
【００２４】
図６は、本発明の層状接着テープをポスターの裏側貼り付け面に貼り付けた場合の正面図である。この図に示すように、実際には滑らかな壁にポスターの四隅に層状接着テープの一部を切って貼り付け一次的に使用し商談等が終了したら剥がして、次の場所の壁９に貼り付けて使用することができる。
【産業上の利用可能性】
【００２５】
商談会や販売促進だけでなく、講演会等にも利用することができるのでこれらの製作産業界で有用である。本発明委は、ポスターや展示物に使用したあとも、これらポスター等を再度使用することができるので経済的であり、商談会でも大いに利用することができ、産業活動を活発化する。
【符号の説明】
【００２６】
１    層状接着テープ
２    吸着テープ
２ａ  吸着面
３    剥離シート
４ａ  接着剤
４ｂ  接着剤
５    剥離シー
６    両面接着テープ
７    表示紙
１０  層状接着テープ
２０  テープカッターケース
２０a  底台部
２０ｂ  フレーム
２０ｃ  フレーム
２０ｄ  溝
２０ｅ  軸
２０ｆ  カッター
【図１】
2013159642.tif 000003
【図２】
2013159642.tif 000004
【図３】
2013159642.tif 000005
【図４】
2013159642.tif 000006
【図５】
2013159642.tif 000007
【図６】
2013159642.tif 000008
【図７】
2013159642.tif 000009